(57)【要約】  蓋の筐体への取り付け、取り外しおよび開閉が円滑に行え、且つ、蓋の筐体への取り付け、取り外しおよび開閉に伴う異音の発生を抑制する。本発明の蓋開閉器機構（３０）は、前面パネルを支持するアーム３１に形成された回転軸（３２）が、前面パネルの閉塞位置からストッパ（３３）による固定支持位置を越えて当該前面パネルの離脱可能位置までの間、軸受部（１１・１２）の軸受け面に当該回転軸（３２）の回転面が接触しながら回転する。
2018154807.tif 000002
【特許請求の範囲】
【請求項１】
筐体に着脱可能に取り付けられた蓋の開閉を行う蓋開閉機構であって、
上記蓋を支える支持部材と、
上記支持部材に設けられ、上記筐体に形成された軸受部に回動自在に支持され、所定の角度回転したとき当該軸受部から離脱可能な状態となる回転軸と、
上記支持部材に設けられ、上記回転軸が上記所定の角度回転する間で、回転中の上記蓋を別の所定の角度で固定支持する固定支持軸と、を備え、
上記回転軸は、上記蓋の閉塞位置から上記固定支持軸による固定支持位置を越えて当該蓋の離脱可能位置までの間、上記軸受部の軸受け面に当該回転軸の回転面が接触しながら回転することを特徴とする蓋開閉機構。
【請求項２】
上記固定支持位置における上記固定支持軸の位置は、上記回転軸から鉛直方向に伸びる軸線に対して、上記蓋の離脱可能位置側にずれていることを特徴とする請求項１に記載の蓋開閉機構。
【請求項３】
上記回転軸は、上記軸受部によって支持されている外周面に、当該回転軸が上記軸受部から離脱する方向と平行になる平面が形成され、
上記回転軸に形成された平面は、上記蓋の離脱可能位置において、上記軸受部による外周面の密着方向と反対側に位置することを特徴とする請求項１または２に記載の蓋開閉機構。
【請求項４】
上記軸受部は、上記回転軸を上側から支持する軸受上部と、当該回転軸を下側から支持する軸受下部とを含み、
上記回転軸が離脱する際に、上記軸受上部および上記軸受下部の何れか一方が撓むことを特徴とする請求項１〜３の何れか１項に記載の蓋開閉機構。
【請求項５】
上記軸受上部の上記回転軸を支持する面に、当該回転軸が離脱する方向への移動を規制するための第１突起部が形成され、
上記軸受下部の上記回転軸を支持する面に、当該回転軸が離脱する方向への移動を規制するための第２突起部が形成され、
上記第１突起部の頂点から上記回転軸の軸中心を通る線までの距離よりも上記第２突起部の頂点から上記回転軸の軸中心を通る線までの距離の方が大きいことを特徴とする請求項４に記載の蓋開閉機構。
【請求項６】
上記回転軸を離脱する方向にガイドするガイド空間は、上記軸受部よりも下方に位置していることを特徴とする請求項１〜５の何れか１項に記載の蓋開閉機構。
【請求項７】
請求項１〜６の何れか１項に記載の蓋開閉機構を備えた空気調和機。
【発明の詳細な説明】
【技術分野】
【０００１】
本発明は、蓋の開閉を行う蓋開閉機構に関する。
【背景技術】
【０００２】
一般的な空気調和機は、室内機のフィルタの取り外し等のために、室内機の前面に設けられた前パネルを開放する。このとき、前パネルは、室内機本体に対して、一定の角度に開いた状態で保持される。また、空気調和機では、室内機内の送風ファンやファンモータ等を取り外すために、前パネルを室内機本体から取り外す。【０００３】
例えば特許文献１には、室内機の本体ケースの軸穴に着脱可能に支持される支持軸によって開閉可能な前パネルを備え、本体ケースに対して前パネルを一定の角度に開いた状態で当該前パネルを当該本体ケースより着脱可能にした空気調和機が開示されている。
【先行技術文献】
【特許文献】
【０００４】
【特許文献１】日本国公開特許公報「特開平８−１３５９９４号公報（１９９６年５月１３日公開）」
【発明の概要】
【発明が解決しようとする課題】
【０００５】
ところで、特許文献１では、前パネルを本体ケースに対し回転させることにより前パネルを開いていく際に、前パネルを支持するアームに設けられた突起が、本体ケースに設けられた突起を乗り上げて、前パネルを一定の角度で開いて保持した状態となる。さらに、この状態から、前パネルを開くと、アームに設けられた突起が、本体ケースに設けられた別の突起を乗り上げて、前パネルを一定の角度で開いた状態で当該前パネルを本体ケースから取り外し可能な状態となる。取り外した前パネルの本体ケースの取付は、上記手順の逆になる。【０００６】
このように、特許文献１では、前パネルの開放状態を保持し、取り外し可能にするには、前パネルのアームに設けられた突起が、本体ケースに設けられた複数の突起を乗り上げる必要がある。このため、前パネルを開放状態でしっかりと保持するためには、突起同士の乗り上げをきつくする必要がある。しかしながら、突起同士の乗り上げをきつくすると、突起同士の摩擦力が大きくなり、前パネルの取り付け、取り外しおよび開閉がし難くなり、しかも取り付け、取り外しおよび開閉時に異音が発生するという問題が生じる。【０００７】
また、突起同士の乗り上げを緩くすると、突起同士の摩擦力が小さくなり、前パネルの取り付け、取り外しおよび開閉が容易になり、さらに、前パネルの取り付け、取り外しおよび開閉時の異音の発生を抑制できるものの、前パネルを本体ケースに対して一定の角度で保持し難くなり、さらに、前パネルが本体ケースから脱落する虞もある。【０００８】
本発明の一態様は、前パネルの本体ケースへの取り付け、取り外しおよび開閉が円滑に行え、且つ、前パネルの本体ケースへの取り付け、取り外しおよび開閉に伴う異音の発生を抑制できる蓋開閉機構を提供することを目的とする。
【課題を解決するための手段】
【０００９】
上記の課題を解決するために、本発明の一態様に係る蓋開閉機構は、筐体に着脱可能に取り付けられた蓋の開閉を行う蓋開閉機構であって、上記蓋を支える支持部材と、上記支持部材に設けられ、上記筐体に形成された軸受部に回動自在に支持され、所定の角度回転したとき当該軸受部から離脱可能な状態となる回転軸と、上記支持部材に設けられ、上記回転軸が上記所定の角度回転する間で、回転中の上記蓋を別の所定の角度で固定支持する固定支持軸と、を備え、上記回転軸は、上記蓋の閉塞位置から上記固定支持軸による固定支持位置を越えて当該蓋の離脱可能位置までの間、上記軸受部の軸受け面に当該回転軸の回転面が接触しながら回転することを特徴としている。
【発明の効果】
【００１０】
本発明の一態様によれば、蓋の筐体への取り付け、取り外しおよび開閉が円滑に行え、且つ、蓋の筐体への取り付け、取り外しおよび開閉に伴う異音の発生を抑制できるという効果を奏する。
【図面の簡単な説明】
【００１１】
【図１】本発明の実施形態１に係るエアコンの概略斜視図である。
【図２】図１に示すエアコンの前面パネルが閉じた状態を示す概略断面図である。
【図３】図１に示すエアコンの前面パネルがダストボックスを着脱可能な位置まで開いた状態を示す概略断面図である。
【図４】図１に示すエアコンの前面パネルが当該前面パネルを着脱可能な位置まで開いた状態を示す概略断面図である。
【図５】図３の（ｂ）に示す前面パネルがダストボックスを着脱可能な位置まで開いた状態の蓋開閉機構の動作を説明するための図である。
【図６】前面パネルの着脱強度の調整を説明するための図である。
【図７】前面パネルの保持強度の調整を説明するための図である。
【図８】軸受部のスリット位置高さの調整、ストッパのスリット位置高さの調整を説明するための図である。
【図９】図８の要部Ｈの拡大図である。
【図１０】ストッパ受部の裏面にリブを設けた例を示す図である。
【図１１】本発明の実施形態２に係る蓋開閉機構の概略構成図である。
【図１２】本発明の実施形態３に係る蓋開閉機構の概略構成図である。
【図１３】本発明の実施形態４に係る蓋開閉機構の概略構成図である。
【図１４】本発明の実施形態５に係る蓋開閉機構の概略構成図である。
【発明を実施するための形態】
【００１２】
〔実施形態１〕
以下、本発明の実施の形態について説明すれば以下の通りである。なお、本実施形態では、本発明の蓋開閉機構を適用する機器として、室内の壁面に取り付けられるセパレート型エアコンの室内機を例に説明する。
【００１３】
（室内機の概略構成）
図１は、エアコン（空気調和機）の室内機１の外観を示す斜視図であり、（ａ）は前面パネル（蓋）２０が閉じた状態を示し、（ｂ）は前面パネル２０が開いた状態を示す。
【００１４】
室内機１は、図１に示すように、本体（筐体）１０と、当該本体１０の前面を覆う前面パネル２０と、本体１０の前面１０ａを開閉するように当該前面パネル２０の動作を支持するための蓋開閉機構３０と、を備えている。
【００１５】
本体１０には、図示しないが内部に送風ファン（例えばクロスフローファンやプロペラファン）、熱交換器等のエアコンの室内機１であれば当然備えている各種部材を備えている。本実施形態では、これら各種部材の説明は割愛する。
【００１６】
また、本体１０には、前面にダストボックス４０が備えられている。このダストボックス４０は、本体１０内に設けられたフィルタ清掃装置の構成部品のひとつである。フィルタ清掃装置はフィルタに付着した塵や埃等のダストを除去し、ダストボックス４０に溜め込む。ダストボックス４０は、本体１０から着脱自在に設置されている。
【００１７】
前面パネル２０は、図１の（ａ）に示すように、本体１０の前面を塞ぐ閉状態と、図１の（ｂ）に示すように、本体１０の前面１０ａを開放する開状態となるように、本体１０に対して回転可能に設けられている。前面パネル２０が、図１の（ｂ）に示す開状態のときに、ユーザは、本体１０の前面１０ａからダストボックス４０の着脱を行う。なお、ダストボックス４０を外した状態で、フィルタも着脱可能である。
【００１８】
なお、前面パネル２０は、図１の（ｂ）に示す開状態から、さらに開放した状態になったとき、すなわち前面パネル２０が閉状態のときを基準にして開放する方向に所定の角度回転した状態となったとき、当該前面パネル２０は本体１０に対して着脱可能になる。つまり、前面パネル２０は、図１の（ａ）に示す閉状態、図１の（ｂ）に示す開状態、さらに、開放した前面パネル２０を着脱可能な状態の３段階の状態を取るように構成されている。前面パネル２０の上述した３段階の開閉は、蓋開閉機構３０によって実現される。
【００１９】
なお、前面パネル２０の、本体１０に対する開放角度は、図１の（ｂ）に示す状態でほぼ９０°である。但し、上記開口角度は９０°に限定されるものではなく、ユーザが本体１０内のダストボックス４０の着脱などのメンテナンスが行える程度に前面パネル２０が開放される角度であればどのような角度であってもよい。また、前面パネル２０を着脱する際の開放角度については、図１の（ｂ）に示す開放角度よりも少し大きければよく、当該前面パネル２０が着脱できる角度であればどのような角度であってもよい。
【００２０】
（蓋開閉機構３０の概略）
図２は、前面パネル２０が閉じた状態となる位置にあるときの蓋開閉機構３０の動作を説明するための図であり、（ａ）は、本体１０の断面を示す図であり、（ｂ）は、（ａ）の要部を拡大した拡大図である。
【００２１】
図３は、前面パネル２０がダストボックス４０を着脱可能な状態となる位置まで開いた状態のときの蓋開閉機構３０の動作を説明するための図であり、（ａ）は、本体１０の断面を示す図であり、（ｂ）は、（ａ）の要部を拡大した拡大図である。
【００２２】
図４は、前面パネル２０が当該前面パネル２０を着脱可能な状態となる位置まで開いた状態のときの蓋開閉機構３０の動作を説明するための図であり、（ａ）は、本体１０の断面を示す図であり、（ｂ）は、（ａ）の要部を拡大した拡大図である。
【００２３】
蓋開閉機構３０によって、前面パネル２０は、回転軸３２（後述）を中心として、矢印Ｘ・Ｙ方向に回転可能に支持されている。つまり、前面パネル２０は、図２の（ａ）に示す閉状態となる位置（閉塞位置）から、矢印Ｘ方向に回転して、少し開いて、図３の（ａ）に示すダストボックス４０を着脱可能な状態となる位置（固定支持位置）で一時的に固定支持され、さらに矢印Ｘ方向に回転して、さらに開いて、図４の（ａ）に示す当該前面パネル２０を着脱可能な状態となる位置（離脱可能位置）に回転する。また、前面パネル２０は、図４の（ａ）に示す状態から、矢印Ｙ方向に回転して、図３の（ａ）に示す状態を経て、図２の（ａ）に示す閉状態となる。ここで、閉状態とは、前面パネル２０によって室内機１の本体１０の前面を閉じた状態をいう。通常、前面パネル２０の閉状態のときにエアコンの冷房、暖房等の空調が実行される。また、ダストボックス４０を着脱可能な状態とは、本体１０に設置されているダストボックス４０やフィルタを当該本体１０に対して着脱可能な状態まで前面パネル２０が開いた状態をいう。さらに、前面パネル２０を着脱可能な状態とは、ダストボックス４０を着脱可能な状態よりもさらに前面パネル２０が開いた状態であり、当該前面パネル２０を本体１０に対して着脱可能な状態をいう。
【００２４】
蓋開閉機構３０は、上述のように、前面パネル２０を本体１０に対して回動可能に支持するための機構であって、前面パネル２０を支持するアーム（支持部材）３１と、アーム３１に設けられ、本体１０に形成された軸受部（軸受上部）１１・軸受部（軸受下部）１２に回動自在に支持され、所定の角度回転したとき当該軸受部１１・１２から離脱可能な状態となる円筒状の回転軸３２と、アーム３１に設けられ、回転軸３２が上記所定の角度回転する間で、本体１０に形成されたストッパ受部１３に係合され、回転中の上記前面パネル２０を所定の角度で固定支持するストッパ（固定支持軸）３３と、を備える。
【００２５】
軸受部（軸受上部）１１・軸受部（軸受下部）１２は、互いに対向配置され、回転軸３２を上下から挟み込むにして回動可能に支持している。軸受部１１・１２は、何れも弾性を有する部材、例えば樹脂で形成されている。なお、本実施形態では、軸受部１２を撓む構造とし、軸受部１１は撓まない構造（少なくとも回転軸３２の着脱時においては撓まない強度を有する）としている。なお、軸受部１１が撓む構造とし、軸受部１２を撓まない構造としてもよい。ここで、軸受部１１は、円筒状の回転軸の外周面３２を受ける円弧状の軸上側支持面を有している。軸上側支持面は、前面パネル２０が閉じた状態（図２（ｂ）参照）に回転軸３２が位置する際に、回転軸３２の真上から回転軸３２の中心よりも前方側かつ上方（ただし、回転軸３２の真上に接する接線よりも下方）にかけて位置している。ここで、前方とは、本体１０から前面パネル２０が取り外される方向をいう。また、上方とは、本体１０において、鉛直方向（重力の方向）と反対側の方向をいう。また、軸受部１２は、円筒状の回転軸の外周面３２を受ける円弧状の軸下側支持面を有している。軸下側支持面は、前面パネル２０が閉じた状態（図２（ｂ）参照）に回転軸３２が位置する際に、回転軸３２の真下から回転軸３２の中心よりも前方側かつ下方（ただし、回転軸３２の真下に接する接線よりも上方）にかけて位置している。これにより、回転軸３２は、離脱するまで、軸受部１１の軸上側支持面と軸受部１２の軸下側支持面に密着した状態となる。また、軸受部１１・１２は、それぞれ回転軸３２を支持する面に、当該回転軸３２が前面パネル２０の取出し方向（本体１０から前面パネル２０を取り出す方向）への移動を規制するための突起部（第１突起部）１１ａ，突起部（第２突起部）１２ａが形成されている。突起部１１ａは、軸上側支持面の前側端部から前方側へ連続する円弧状の凸部である。また、突起部１２ａは、軸下側支持面の前側端部から水平方向に延びる面を有し、その面の前方端部から前方下方へ伸びる面からなる。突起部１１ａ，１２ａによって、図２の（ｂ）に示す閉状態、図３の（ｂ）に示すダストボックス４０を着脱可能な状態、図４の（ｂ）に示す前面パネル２０を着脱可能な状態の何れにおいても、回転軸３２の移動が規制される。但し、図４の（ｂ）に示す前面パネル取り外し状態では、前面パネル２０を矢印Ｚ方向に移動させることで、回転軸３２の移動により、軸受部１１は撓まず、軸受部１２が撓んで、突起部１１ａ，１２ａを当該回転軸３２が乗り越えるようになっている。突起部１１ａ・１２aよりも左側の軸受部１１・１２の上下方向の幅よりも、突起部１１a、１２aの右側のガイド空間の幅は広くなっている。これにより、前面パネルを取り付ける際に、ガイド空間に軸を入れやすくなり、軸受部１１・１２はしっかりと軸を支持することができる。また、ガイド空間は、軸受部１１・１２よりも下方に位置している。これにより、前面パネル２０を取り付ける際に、軸受部１２に回転軸が接触しやすくなることで、軸受部１２を撓ませやすくなり、取り付けやすくなる。また、突起部１１aの頂点から軸中心ｘを通る線までの距離（高さ）Ｄ１と突起部１２aの頂点からの軸中心ｘを通る線間までの距���（高さ）Ｄ２は、距離Ｄ２の方が大きい（図６参照）。このようにすることで、前面パネル２０を取り外す際に、回転軸３２が軸受部１２側へ誘導されやすくなる。
【００２６】
本実施形態では、回転軸３２は、図２の（ｂ）に示すように、円筒状であり外周面３２ａの一部が平らになっている。この平らな面を、Ｄカット面３２ａ１と称する。外周面３２ａの残りの面を周面３２ａ２とする。回転軸３２は、回転して、Ｄカット面３２ａ１が、図４の（ｂ）に示すように、前面パネル２０の取り外し状態のときに、軸受部１２に対向する位置に来るように形成されている。これにより、回転軸３２は、Ｄカット面３２ａ１により軸受部１２の突起部１２ａを乗り越えやすくなる。ここでは、軸受１１にバネ性を持たせず（少なくとも回転軸３２の着脱時においては撓まない強度を有する）、軸受部１２にバネ性を持たせることで、回転軸３２のＤカット面３２ａ１が当該軸受部１２を下側に押し下げるようにして、当該回転軸３２が軸受部１１・１２から取外しできるようになる。
【００２７】
しかも、回転軸３２は、外周面３２ａのうちＤカット面３２ａ１以外の周面３２ａ２が常に軸受部１１に密着するようになっているので、当該回転軸３２が軸受部１１・１２から容易に抜けないようになっている。特に、図４の（ａ）（ｂ）に示す前面パネル２０の取外し状態以外においては、回転軸３２は軸受部１１・１２の両方に外周面３２ａが密着するようになっているため、当該回転軸３２が軸受部１１・１２からさらに抜けにくくなっている。
【００２８】
ストッパ３３は、回転軸３２と同様に、断面略円状の部材からなり、外周面３３ａがストッパ受部１３の凹状の係合面に密着可能となっている。つまり、図３の（ａ）（ｂ）に示すように、ダストボックス取外し状態のとき、ストッパ３３は、ストッパ受部１３の係合面に密着するようになっている。これにより、回転軸３２の回転、すなわち前面パネル２０の回転を規制すると共に、所定の位置で当該前面パネル２０の開放状態を保持する保持力を強めることができる。
【００２９】
ストッパ受部１３は、図３の（ｂ）に示すように、ダストボックス４０を着脱可能な状態において、アーム３１に形成されたストッパ３３を係合するものである。なお、ストッパ受部１３は、図２の（ｂ）に示す閉状態、図４の（ｂ）に示す前面パネル２０を着脱可能な状態のときには、ストッパ３３との係合が解除された状態となる。
【００３０】
（蓋開閉機構３０の動作）
図５は、図３の（ｂ）に示すダストボックス４０を着脱可能な状態の蓋開閉機構３０の動作を説明するための図である。
【００３１】
ストッパ３３がストッパ受部１３によって係合される係合位置は、回転軸３２から鉛直方向（重力の方向）に伸びる直線（軸線）から、前面パネル２０の取り外し方向（前方）にずれている。この場合、係合位置は、回転軸３２から鉛直方向に伸びる直線と、回転軸３２からストッパ３３に向かう直線とが角度θ分離れた位置となる。角度θは、１５°が好ましいが、これに限定されるものではなく、０°よりも大きければよい。つまり、係合位置は、回転軸３２から鉛直方向に伸びる直線から少しでも前方（前面パネル２０の取り外し方向）にあればよい。また、ストッパ３３が係合位置にあるとき、回転軸３２は、外周面３２ａが軸受部１１に密着している。
【００３２】
このように、係合位置は、回転軸３２から鉛直方向に伸びる直線よりも前方にあるので、前面パネル２０を取りはず際は、回転軸３２を支点としてストッパ３３が矢印Ａ方向に回転するため、ストッパ３３の外周面３３ａとストッパ受部１３の接触面１３ａとの係合は容易に解除される。一方、ストッパ３３が係合位置にあるとき、回転軸３２は、外周面３２ａが軸受部１１に密着しているので、前面パネル２０を閉状態にする際は、回転軸３２を支点としてストッパ３３が矢印Ｂ方向に回転する。この場合、ストッパ３３とストッパ受部１３との係合力が増し、支点である回転軸３２が矢印Ｃ方向に移動しようとするが、回転軸３２が軸受部１１によってしっかりと保持されているため、支点が回転軸３２から移動しない。このため、前面パネル２０をスムーズに閉じることができる。しかも、前面パネル２０を閉じる場合に生じる、各部の摩擦による異音の発生も抑えることができる。さらに、上記の角度θを変えることにより、ストッパ３３とストッパ受部１３との係合力を自由に設定できる。
【００３３】
また、図２の（ａ）（ｂ）に示す前面パネル２０の閉状態のとき、回転軸３２は、軸受部１１・１２に対して面で密着した状態で挟み込まれているため、前面パネル２０を確実に固定することができる。また、前面パネル２０を図４の（ａ）（ｂ）から前面パネル２０をさらに無理矢理開いたとしても、図４の（ａ）（ｂ）に示す状態以上に矢印Ｘ方向に回転すれば前面パネル２０が容易に取り外せる構成となっているため、前面パネル２０の開閉機構を故障させることはない。
【００３４】
（蓋開閉機構３０による係合力調整）
図６は、Ｃを説明するための図である。
【００３５】
図７は、前面パネル２０の保持強度の調整を説明するための図である。
【００３６】
図８は、軸受部１２のスリット位置高さの調整、上記ストッパ１３のスリット位置高さの調整を説明するための図である。
【００３７】
図９は、図８の要部Ｈの拡大図である。
【００３８】
図４の（ａ）（ｂ）に示す前面パネル２０の取り外し状態において、図６に示すように、回転軸３２の軸中心Ｘから当該回転軸３２の外周面３２ａのＤカット面３２ａ１までの距離Ｄ２および軸受部１２におけるスリット（図示せず）位置高さＥを調整することで、前面パネル２０の取り外し強度（取り外しの固さ）の調整を容易に行うことができる。
【００３９】
また、図３の（ａ）（ｂ）に示すダストボックス取り外し状態において、図７に示すように、ストッパ受部１３の接触面１３ａの底面から頂部１３ｂまでの距離Ｇおよびストッパ受部１３のスリット（図示せず）位置高さＦを調整することで、ストッパ３３の係合力と、係合固さの調整を容易に行うことができる。
【００４０】
例えば、図８および図９に示すように、軸受部１２に設けられたスリット１０１の高さＥ、ストッパ受部１３に設けられたスリット１０２の高さＦを調整する。Ｅ、Ｆを高くすれば、軸受部１２、ストッパ受部１３が撓みやすくなるので、前面パネル２０の取り外し強度が弱まる。逆に、Ｅ、Ｆを低くすれば、軸受部１２、ストッパ受部１３が撓みにくくなるので、前面パネル２０の取り外し強度が強まる。
【００４１】
また、前面パネル２０の取り外し強度を調整するには、図１０に示すように、ストッパ受部１３の裏面にリブ１０３・１０３を設け、このリブ１０３・１０３の高さを調整するようにしてもよい。この場合、リブ１０３・１０３の高さは、高ければ、それだけストッパ受部１３が撓みにくくなるため、前面パネル２０の取り外し強度が強まる。
【００４２】
以上のことから、前面パネル２０の取付け、取外し時の固さの調整が容易になり、また、前面パネル２０の一時固定時（ダストボックス取外し時）の保持力の調整が容易になり、前面パネル２０の取付け、取外し時の異音を軽減できるという効果を奏する。
【００４３】
また、回転軸３２の形状、ストッパ３３の形状を変更することで、様々な効果を奏する蓋開閉機構を実現することができる。この点について、下記の実施形態２〜５で説明する。
【００４４】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００４５】
図１１は、本実施形態に係る蓋開閉機構１３０におけるダストボックス取外し状態の動作を説明するための図である。
【００４６】
蓋開閉機構１３０は、前記実施形態１の蓋開閉機構３０とほぼ同じ構成であり、異なるのは、回転軸１３２の断面形状である。回転軸１３２の断面形状は、図１１に示すように、Ｄカット面のない円形状である。つまり、回転軸１３２は、上記のように、断面略円形状であり、上記軸受部１１・１２の回転軸１３２の軸受け面（軸上側支持面、軸下側支持面）に、上記回転軸１３２の外周面（回転面）が密着できる形状に形成されている。なお、ストッパ１３３は、前記実施形態の蓋開閉機構３０のストッパ３３と同じ形状であり、断面形状が円形状である。
【００４７】
回転軸１３２では、Ｄカット面が廃止されているので、当該回転軸１３２の外周面は常に軸受部１１・１２に密着した状態となるので、前面パネル２０の取外し状態であっても、回転軸１３２にＤカット面がない分、回転軸１３２と軸受部１２との密着力が増し、前面パネル２０の抜き強度をアップさせることができる。つまり、前面パネル２０が本体１０から容易に脱落しないようにできる。
【００４８】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００４９】
図１２は、本実施形態に係る蓋開閉機構２３０におけるダストボックス取外し状態の動作を説明するための図である。
【００５０】
蓋開閉機構２３０は、前記実施形態１の蓋開閉機構３０とほぼ同じ構成であり、異なるのは、ストッパ２３３の形状である。ストッパ２３３の断面形状は、図１２に示すように、Ｄカット面を有する形状である。なお、回転軸２３２は、前記実施形態１の蓋開閉機構３０の回転軸３２と同じ、断面形状がＤカット面を有する円形状である。
【００５１】
また、本実施形態では、ストッパ受部２１３のストッパ２３３との当接面を平面形状としている。これにより、前面パネル２０のダストボックス取外し状態のとき、ストッパ２３３のＤカット面とストッパ受部２１３の当接面とが対向して密着可能にすることができる。
【００５２】
これにより、前面パネル２０のダストボックス取外し状態での当該前面パネル２０を安定して開放させることが可能となる。つまり、ストッパ２３３のＤカット面とストッパ受部２１３の当接面とが密着したときの密着面の傾きを調整することで、前面パネル２０の開閉角度を一定に保つことができる。
【００５３】
また、前記実施形態１の図６で説明したように、回転軸２３２の軸中心ＸからＤカット面までの距離および軸受部１２およびストッパ受部１３におけるスリット位置高さを調整することで、前面パネル２０の取り外し強度（取り外しの固さ）の調整を容易に行うことができる。
【００５４】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【００５５】
図１３は、本実施形態に係る蓋開閉機構３３０におけるダストボックス取外し状態の動作を説明するための図である。
【００５６】
蓋開閉機構３３０は、前記実施形態１の蓋開閉機構３０とほぼ同じ構成であり、異なるのは、回転軸３３２とストッパ３３３の形状である。回転軸３３２は、図１３に示すように、Ｄカット面のない円形状である。ストッパ３３３は、前記実施形態３のストッパ２３３と同様に、Ｄカット面を有する形状である。
【００５７】
また、本実施形態では、前記実施形態３と同様に、ストッパ受部２１３のストッパ２３３との当接面を平面形状としている。具体的には、ストッパ２３３は、上記ストッパ受部２１３によって支持されている外周面に、当該ストッパ２３３が上記ストッパ受部２１３から離脱する方向と平行になる平面が、上記前面パネル２０の離脱可能位置において、上記ストッパ受部２１３の上面に対向している。
【００５８】
これにより、ストッパ２３３とストッパ受部２１３とを面で密着させることが可能となる。これにより、密着面の傾きを調整することで、固定支持位置での前面パネル２０の開閉角度が調整できる。
【００５９】
これにより、ストッパ２３３のＤカット面とストッパ受部２１３の当接面とが密着したときの密着面の傾きを調整することで、前面パネル２０の開閉角度を一定に保つことができる。
【００６０】
しかも、回転軸３３２では、Ｄカット面が廃止されているので、当該回転軸３３２の外周面は常に軸受部１１・１２に密着した状態が継続する。このため、前面パネル２０の取外し状態であっても、回転軸３３２にＤカット面がない分、回転軸３３２と軸受部１２との密着力が増し、前面パネル２０の抜き強度をアップさせることができる。
【００６１】
〔実施形態５〕
本発明の他の実施形態について説明すれば、以下のとおりである。なお、説明の便宜上、前記実施形態にて説明した部材と同じ機能を有する部材については、同じ符号を付記し、その説明を省略する。
【００６２】
蓋開閉機構４３０は、前記実施形態１の蓋開閉機構３０とほぼ同じ構成であり、異なるのは、ストッパ４３３の形状である。ストッパ４３３は、図１４に示すように、ストッパ受部２１３に対向する部分にリブ４３３ａが形成されている。なお、回転軸４３２は、前記実施形態の蓋開閉機構３０の回転軸３２と同じ形状である。
【００６３】
また、本実施形態では、ストッパ受部２１３のストッパ４３３との当接面を平面形状としている。これにより、前面パネル２０のダストボックス取外し状態のとき、ストッパ４３３のリブ４３３ａとストッパ受部２１３の当接面とが対向して接触した状態となる。
【００６４】
これにより、リブ４３３ａの突出した長さを調整することで、前面パネル２０のダストボックス取外し状態で当該前面パネル２０の保持力の微調整を容易にし、また、前面パネル２０の開閉角度の微調整を容易にできる。
【００６５】
〔まとめ〕
本発明の態様１に係る蓋開閉機構は、筐体（本体１０）に着脱可能に取り付けられた蓋（前面パネル２０）の開閉を行う蓋開閉機構であって、上記蓋（前面パネル２０）を支える支持部材（アーム３１）と、上記支持部材（アーム３１）に設けられ、上記筐体（本体１０）に形成された軸受部１１・１２に回動自在に支持され、所定の角度回転したとき当該軸受部１１・１２から離脱可能な状態となる回転軸３２と、上記支持部材（アーム３１）に設けられ、上記回転軸３２が上記所定の角度回転する間で、回転中の上記蓋（前面パネル２０）を別の所定の角度で固定支持する固定支持軸（ストッパ３３）と、を備え、上記回転軸３２は、上記蓋（前面パネル２０）の閉塞位置（前面パネルの閉状態となる位置）から上記固定支持軸（ストッパ３３）による固定支持位置（ダストボックス４０を着脱可能な状態となる位置）を越えて当該蓋（前面パネル２０）の離脱可能位置（前面パネル２０の着脱可能な状態となる位置）までの間、上記軸受部１１・１２の軸受け面に当該回転軸３２の回転面が接触しながら回転することを特徴としている。
【００６６】
上記構成によれば、蓋の回転軸が、当該蓋の閉塞位置から固定支持軸による支持位置を越えて当該蓋の離脱可能位置までの間、筐体に設けられた軸受部に面で密着状態であることで、蓋の回転中心（支点）は常に回転軸であり、支点が回転軸から移動することがないため、蓋の開閉が円滑になる。
【００６７】
これにより、蓋の筐体への取り付け、取り外しおよび開閉が円滑に行え、且つ、蓋の筐体への取り付け、取り外しおよび開閉に伴う異音の発生を抑制できる。
【００６８】
本発明の態様２に係る蓋開閉機構は、上記態様１において、上記固定支持位置における上記固定支持軸（ストッパ３３）の位置は、上記回転軸３２から鉛直方向に伸びる軸線に対して、上記蓋（前面パネル２０）の離脱可能位置側にずれていてもよい。
【００６９】
上記構成によれば、上記固定支持位置における上記固定支持軸の位置は、上記回転軸から鉛直方向に伸びる軸線に対して、上記蓋の離脱可能位置側にずれていることで、固定支持位置から蓋の離脱可能位置まで固定支持軸が容易に移動できる。一方、固定支持位置から、蓋の閉塞位置までは、回転軸から鉛直方向に伸びる軸線を越える必要があるため、蓋の回転に少し負荷がかかり、回転軸が蓋の回転方向と反対方向に移動しようとするが、回転軸は軸受部に面で密着状態であるため、回転軸は蓋の回転方向と反対方向に移動することはない。よって、蓋を安定して開閉することができる。
【００７０】
本発明の態様３に係る蓋開閉機構は、上記態様１または２において、上記回転軸３２は、上記軸受部
１１・１２によって支持されている外周面３２ａに、当該回転軸３２が上記軸受部１１・１２から離脱する方向と平行になる平面が形成され、上記回転軸３２に形成された平面は、上記蓋（前面パネル２０）の離脱可能位置において、上記軸受部１１・１２による外周面３２ａの密着方向と反対側に位置してもよい。
【００７１】
上記構成によれば、回転軸に形成された平面は、上記蓋の離脱可能位置において、上記軸受部による外周面の密着方向と反対側に位置することで、蓋の離脱可能位置から蓋を離脱させるときに、回転軸を軸受部から円滑に取り外すことが可能となる。これにより、蓋を離脱可能位置まで開放させれば、当該蓋を筐体から容易に取り外すことができる。
【００７２】
本発明の態様４に係る蓋開閉機構は、上記態様１〜３の何れか１態様において、上記回転軸１３２は、断面略円形状であり、上記軸受部１１・１２の回転軸受け面は、上記回転軸１３２の外周面が密着できる形状に形成されていてもよい。
【００７３】
上記構成によれば、回転軸は、断面略円形状であり、上記軸受部の回転軸受け面は、上記回転軸の外周面が密着できる形状に形成されていることで、回転軸の外周面は常に軸受部に密着した状態となるので、蓋の取外し状態であっても、回転軸にＤカット面がない分、回転軸と軸受部との密着力が増し、蓋の抜き強度をアップさせることができる。つまり、蓋が筐体から容易に脱落しないようにできる。
【００７４】
本発明の態様５に係る蓋開閉機構は、上記態様１〜４の何れか１態様において、上記固定支持軸（ストッパ２３３）は、上記固定支持位置において、上記筐体（本体１０）に形成された固定支持軸受部（ストッパ受部２１３）に支持され、上記固定支持軸（ストッパ２３３）の、上記固定支持軸受部（ストッパ受部２１３）によって支持されている外周面に、当該固定支持軸（ストッパ２３３）が上記固定支持軸受部（ストッパ受部２１３）から離脱する方向と平行になる平面が形成され、上記固定支持軸（ストッパ２３３）に形成された平面は、上記蓋（前面パネル２０）の離脱可能位置において、上記固定支持軸受部（ストッパ受部２１３）の上面に対向していてもよい。
【００７５】
上記構成によれば、固定支持軸は、上記固定支持軸受部によって支持されている外周面に、当該固定支持軸が上記固定支持軸受部から離脱する方向と平行になる平面が、上記蓋の離脱可能位置において、上記固定支持軸受部の上面に対向していることで、固定支持軸と固定支持軸受部とを面で密着させることが可能となる。これにより、密着面の傾きを調整することで、固定支持位置での蓋の開閉角度が調整できる。
【００７６】
本発明の態様６に係る蓋開閉機構は、上記態様１〜４の何れか１態様において、上記固定支持軸（ストッパ３３３）は、上記固定支持位置において、上記筐体（本体１０）に形成された固定支持軸受部（ストッパ受部２１３）に支持され、上記固定支持軸（ストッパ３３３）の、上記固定支持軸受部（ストッパ受部２１３）によって支持されている外周面に、当該固定支持軸受部（ストッパ受部２１３）に向かって突出しているリブ４３３ａが少なくとも１個設けられていてもよい。
【００７７】
上記構成によれば、上記固定支持軸は、上記固定支持軸受部によって支持されている外周面に、当該固定支持軸受部に向かって突出しているリブが少なくとも１個設けられていることで、固定支持軸と固定支持受部との間の距離をリブの長さによって調整することができる。つまり、リブの長さを調整することで、固定支持軸と固定支持受部との密着度、密着部分の角度を調整することが可能となる。これにより、蓋の離脱可能状態で当該蓋の保持力の微調整を容易にし、また、蓋の開閉角度の微調整を容易にできる。
【００７８】
本発明の態様７に係る蓋開閉機構は、上記態様１〜６の何れか１態様において、上記軸受部１１・１２は、上記回転軸３２を上側から支持する軸受上部（軸受部１１）と、当該回転軸３２を下側から支持する軸受下部（軸受部１２）とを含み、上記回転軸３２が離脱する際に、上記軸受上部（軸受部１１）および上記軸受下部（軸受部１２）の何れか一方が撓むことが好ましい。
【００７９】
上記の構成によれば、回転軸の支持を適切に行いつつ、回転軸の離脱を容易に行える。
【００８０】
本発明の態様８に係る蓋開閉機構は、上記態様７において、上記軸受上部（軸受部１１）の上記回転軸３２を支持する面に、当該回転軸３２が離脱する方向への移動を規制するための第１突起部（突起部１１ａ）が形成され、上記軸受下部（軸受部１２）の上記回転軸３２を支持する面に、当該回転軸３２が離脱する方向への移動を規制するための第２突起部（突起部１２ａ）が形成され、上記第１突起部（突起部１１ａ）の頂点から上記回転軸３２の軸中心ｘを通る線までの距離（高さ）Ｄ１よりも上記第２突起部（突起部１１ａ）の頂点から上記回転軸３２の軸中心ｘを通る線までの距離（高さ）Ｄ２の方が大きいことが好ましい。
【００８１】
上記の構成によれば、蓋を取り外す際に、回転軸が軸受下部側へ誘導されやすくなるため、蓋を容易に取り筈ことが可能となる。
【００８２】
本発明の態様９に係る蓋開閉機構は、上記態様１〜８の何れか１態様において、上記回転軸３２が離脱する方向にガイドするガイド空間は、上記軸受部１１・１２よりも下方に位置していることが好ましい。
【００８３】
上記の構成によれば、蓋を取り付ける際に、ガイド空間に軸を入れやすくなり、軸受部はしっかりと軸を支持することができる。
【００８４】
本発明の態様１０に係る空気調和機は、上記態様１〜９の何れか１態様に係る蓋開閉機構を備えていることを特徴とする。
【００８５】
なお、本発明の蓋開閉機構は、空気調和機として、エアコンの室内機に好適であるが、これに限定されるものではなく、空気清浄機に適用してもよい。また、蓋を開閉し、且つ、蓋を取り外す必要のある機器で有れば、どのような機器に対しても適用可能である。
【００８６】
また、本実施の形態ではフィルタ清掃装置を備えたエアコンの室内機を用いて説明したが、フィルタ清掃装置を有しないエアコンの室内機にも適用できる。その際、前面パネルを開くことで、フィルタの着脱を行うことができる。言い換えれば、フィルタ清掃装置を有しないエアコン室内機においては、図３をフィルタ着脱状態と読み替えればよい。もちろん、ダストボックスやフィルタ以外に着脱可能な部品（例えば、静電集塵装置などの機器やイオン発生ユニット）を有するものであれば、図３を部品着脱状態と読み替えればよい。ダストボックス、フィルタや、着脱可能な部品を着脱できる状態を、部品着脱状態と称してもよい。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１              室内機
１０            本体（筐体）
１０ａ          前面
１１            軸受部（軸受上部）
１１ａ          突起部
１２            軸受部（軸受下部）
１２ａ          突起部
１３            ストッパ受部（固定支持軸受部）
１３ａ          接触面
１３ｂ          頂部
２０            前面パネル（蓋）
３０            蓋開閉機構
３１            アーム
３２            回転軸
３２ａ          外周面
３３            ストッパ（固定支持軸）
３３ａ          外周面
４０            ダストボックス
１３０          蓋開閉機構
１３２          回転軸
１３３          ストッパ（固定支持軸）
２１３          ストッパ受部（固定支持軸受部）
２３０          蓋開閉機構
２３２          回転軸
２３３          ストッパ（固定支持軸）
３３０          蓋開閉機構
３３２          回転軸
３３３          ストッパ（固定支持軸）
４３０          蓋開閉機構
４３２          回転軸
４３３          ストッパ（固定支持軸）
４３３ａ        リブ
【図１】
2018154807.tif 000003
【図２】
2018154807.tif 000004
【図３】
2018154807.tif 000005
【図４】
2018154807.tif 000006
【図５】
2018154807.tif 000007
【図６】
2018154807.tif 000008
【図７】
2018154807.tif 000009
【図８】
2018154807.tif 000010
【図９】
2018154807.tif 000011
【図１０】
2018154807.tif 000012
【図１１】
2018154807.tif 000013
【図１２】
2018154807.tif 000014
【図１３】
2018154807.tif 000015
【図１４】
2018154807.tif 000016
【国際調査報告】
2018154807.tif 000017
2018154807.tif 000018
2018154807.tif 000019
2018154807.tif 000020